(57)【要約】【課題】部品点数の増加によるコスト面、管理面及び取付作業面などの問題を招くことなく、部品の再利用を容易にかつ実施上有効に図り得る遊技機及び遊技機用装飾パネルを提供する。【解決手段】遊技機は平板状の装飾パネル２４を備える。この装飾パネルは、透明なパネル本体３１と、このパネル本体の裏面に、印刷面を有する熱可塑性樹脂シートを、その印刷面を内側にして熱成形により密着してなる装飾シート３２とからなる。装飾シートの周縁部３２ａを、上記熱成形によりパネル本体の端面３１ａにまで延出させ、あるいはパネル本体の端面を越えてパネル本体の表面側にまで延出させて密着し、この周縁部を覆うパネル枠部を設ける。好ましくは、パネル本体の端面を、全周に亘り裏面側から表面側に向かって傾斜する傾斜面状に形成し、装飾シートの周縁部を、このパネル本体の端面に鋭角に折り曲げた状態に延出させて密着する。【選択図】図３
2006320470.tif 000002
【特許請求の範囲】
【請求項１】
平板状の装飾パネルを備えた遊技機において、
上記装飾パネルは、パネル本体と、このパネル本体に、印刷を施した印刷面を有する熱可塑性樹脂シートを、その印刷面が正面側に見えるように、熱成形により密着してなる装飾シートとからなることを特徴とする遊技機。
【請求項２】
平板状の装飾パネルを備えた遊技機において、
上記装飾パネルは、透明なパネル本体と、このパネル本体の裏面に、印刷を施した印刷面を有する熱可塑性樹脂シートを、その印刷面を内側にして熱成形により密着してなる装飾シートとからなり、この装飾シートの周縁部は、上記熱成形によりパネル本体の端面にまで延出し、あるいはパネル本体の端面を越えてパネル本体の表面側にまで延出して密着されており、この周縁部を覆うパネル枠部が設けられていることを特徴とする遊技機。
【請求項３】
上記パネル本体の端面は、全周に亘り裏面側から表面側に向かって傾斜する傾斜面状に形成されており、上記装飾シートの周縁部は、このパネル本体の端面に鋭角に折り曲げられた状態で延出して密着されている請求項２記載の遊技機。
【請求項４】
上記装飾パネルの裏面には一面にスクリーン印刷層を有する導光板がその印刷層を外側にして重合されており、この導光板の端面に対向してエッジライトが設けられている請求項２又は３記載の遊技機。
【請求項５】
上記導光板のスクリーン印刷層は、熱可塑性樹脂シートにスクリーン印刷を施し、この熱可塑性樹脂シートを導光板の一面に対し熱成形により密着してなり、熱可塑性樹脂シートの周縁部は、上記熱成形により導光板の端面にまで延出し、あるいは導光板の端面を越えて導光板の残りの一面側にまで延出して密着されている請求項４記載の遊技機。
【請求項６】
上記熱成形は、真空成形である請求項１ないし請求項５のいずれか一つに記載の遊技機。
【請求項７】
平板状の透明なパネル本体と、このパネル本体の裏面に、印刷を施した印刷面を有する熱可塑性樹脂シートを、その印刷面を内側にして熱成形により密着してなる装飾シートとからなり、この装飾シートの周縁部は、上記熱成形によりパネル本体の端面にまで延出し、あるいはパネル本体の端面を越えてパネル本体の表面側にまで延出して密着されていることを特徴とする遊技機用装飾パネル。
【発明の詳細な説明】
【技術分野】
【０００１】
本発明は、平板状の装飾パネルを有するスロットマシンなどの遊技機及び遊技機用装飾パネルに関する。
【背景技術】
【０００２】
一般に、スロットマシンなどの遊技機においては、その前面部に装飾や文字表示などのための平板状のパネル（総称として装飾パネルという）が設けられている。例えば、スロットマシンの場合、前扉の下部にタイトルなどを表示した矩形状の下部パネルがパネル枠材を介して取り付けられている。そして、このような装飾パネルは、従来、所定の厚みを有する透明なパネル本体の裏面に、スクリーン印刷などにより装飾模様などを印刷し、あるいは装飾フィルムをフィルムインモールド成形などにより一体成形してなるのが普通である。
【０００３】
ところが、上記従来の装飾パネルは、遊技機を新機種のものに変更する場合に再利用することが容易でないという欠点がある。この欠点を解消するために、例えば特許文献１に開示されるように、装飾パネルを、第１の透明板と第２の透明板との間に装飾フィルムとしてのステッカーを配置し、このステッカーを背面側の透明板（第１の透明板）に接着して構成するいわゆる挟持型のものが提案され、実用化されている。この挟持型の装飾パネルは、ステッカーを剥がすことにより、第１及び第２の透明板を容易に再利用することができる。
【０００４】
しかしながら、上記挟持型の装飾パネルでは、従来の装飾パネルに比べて部品点数が３つに増えるため、その分コスト的に高くなり、部品管理も面倒なものになるという問題がある。また、２枚の透明板を重ね合わせた状態で取り付ける必要があるため、その分取付作業も面倒なものになり、その上、遊技機の装飾パネルとして適用できる対象が限られるという問題もある。
【特許文献１】特開２００３−２０５０７９号公報
【発明の開示】
【発明が解決しようとする課題】
【０００５】
本発明はかかる点に鑑みてなされたものであり、その課題とするところは、特に、平板状の装飾パネル及びそれを有する遊技機を構成するに当たり、部品点数の増加によるコスト面、管理面及び取付作業面などの問題を招くことなく、部品の再利用を容易にかつ実施上有効に図り得る遊技機及び遊技機用装飾パネルを提供せんとするものである。
【課題を解決するための手段】
【０００６】
上記の課題を解決するため、請求項１に係る発明は、平板状の装飾パネルを備えた遊技機において、上記装飾パネルを、パネル本体と、このパネル本体に、印刷を施した印刷面を有する熱可塑性樹脂シートを、その印刷面が正面側に見えるように、熱成形により密着してなる装飾シートとによって構成する。ここで、樹脂シートの印刷面が正面側に見えるように熱可塑性樹脂シートをパネル本体に密着する方法としては、パネル本体の表面に熱可塑性樹脂シートを、その印刷面を外側にして密着する方法、透明なパネル本体の裏面に熱可塑性樹脂シートを、その印刷面を内側にして密着する方法などがある。また、シートとは、フィルムを含む広い意味である。
【０００７】
この構成では、遊技機の平板状の装飾パネルがパネル本体とこのパネル本体に熱成形により密着された熱可塑性樹脂シートよりなる装飾シートとかなるため、遊技機を新機種のものに変更する場合、装飾パネルを取り外した後装飾シートの周縁部を捲るように装飾シートをパネル本体から剥がすことにより、パネル本体に損傷を与えたり装飾シートの痕跡を残したりすることなく、両部品を分離することができ、パネル本体を容易に再利用することができる。また、装飾パネルは、パネル本体と装飾シートの２部品からなるため、従来の挟持型装飾パネルの如く部品点数の増加によりコスト的に高くなることはなく、かつ部品管理が面倒なものになることもない。さらに、装飾パネルは単一物として取り付けることができるので、取付作業を容易に行うことができるとともに、遊技機の種々の装飾パネルに広く適用することができる。
【０００８】
請求項２に係る発明は、平板状の装飾パネルを備えた遊技機において、上記装飾パネルを、透明なパネル本体と、このパネル本体の裏面に、印刷を施した印刷面を有する熱可塑性樹脂シートを、その印刷面を内側にして熱成形により密着してなる装飾シートとによって構成し、かつこの装飾シートの周縁部を、上記熱成形によりパネル本体の端面にまで延出させ、あるいはパネル本体の端面を越えてパネル本体の表面側にまで延出させて密着し、この周縁部を覆うパネル枠部を設ける構成にする。
【０００９】
この構成では、遊技機の平板状の装飾パネルが透明なパネル本体とこのパネル本体の裏面に熱成形により密着された熱可塑性樹脂シートよりなる装飾シートとかなるため、請求項１に係る発明の場合と同様に、遊技機を新機種のものに変更する場合、装飾パネルを取り外した後装飾シートの周縁部を捲るように装飾シートをパネル本体から剥がすことにより、パネル本体に損傷を与えたり装飾シートの痕跡を残したりすることなく、両部品を分離することができ、パネル本体を容易に再利用することができる。また、装飾パネルは、パネル本体と装飾シートの２部品からなるため、従来の挟持型装飾パネルの如く部品点数の増加によりコスト的に高くなることはなく、かつ部品管理が面倒なものになることもない。さらに、装飾パネルは単一物として取り付けることができるので、取付作業を容易に行うことができるとともに、遊技機の種々の装飾パネルに広く適用することができる。
【００１０】
その上、上記装飾シートの周縁部は、熱成形によりパネル本体の端面にまで延出し、あるいはパネル本体の端面を越えてパネル本体の表面側にまで延出して密着されているため、この装飾シートの周縁部でパネル本体に対する装飾シートの固着性を高めることができる。また、この装飾シートの周縁部は、パネル本体の表面側にあってもパネル枠部により覆われているため、悪戯により装飾シートが剥がされることはない。しかも、装飾シートの印刷面は、透明なパネル本体を通して正面側に見えるため、その印刷面に深み感を与えることができるとともに、パネル本体により印刷面の損傷を防止できるのは勿論である。
【００１１】
請求項３に係る発明は、請求項２記載の遊技機において、上記パネル本体の端面を、全周に亘り裏面側から表面側に向かって傾斜する傾斜面状に形成し、上記装飾シートの周縁部を、このパネル本体の端面に鋭角に折り曲げた状態に延出させて密着する構成にする。この構成では、装飾シートの周縁部がパネル本体の傾斜面状の端面に鋭角に折り曲げられた状態に密着しているため、パネル本体に対する装飾シートの固着性をより高めることができる。その上、装飾シートを熱成形によりパネル本体の裏面側から表面側にまで密着する場合に比べて成形型を特殊な形状にする必要がなく、実施化を容易に図ることができる。
【００１２】
請求項４に係る発明は、請求項２又は３記載の遊技機において、上記装飾パネルの裏面に、一面にスクリーン印刷層を有する導光板をその印刷層を外側にして重合し、この導光板の端面に対向してエッジライトを設ける構成にする。この構成により、導光板の端面から入射したエッジライトの光が両面での全反射とスクリーン印刷層での拡散とにより導光板の表面全域から略均一に放出されるため、照明手段の薄型化を図りながら、装飾パネルの照明を鮮明に行うことができる。
【００１３】
請求項５に係る発明は、請求項４記載の遊技機において、上記導光板のスクリーン印刷層を、熱可塑性樹脂シートにスクリーン印刷を施し、この熱可塑性樹脂シートを導光板の一面に対し熱成形により密着して構成し、熱可塑性樹脂シートの周縁部を、上記熱成形により導光板の端面にまで延出させ、あるいは導光体の端面を越えて導光板の残りの一面側にまで延出させて密着する構成にする。この構成では、導光板のスクリーン印刷層を構成する熱可塑性樹脂シートが、装飾パネルの熱可塑性樹脂シートからなる装飾シートの場合と同様に熱成形により固着されているため、導光板が不要になった場合樹脂シートを剥がすことでその素材（アクリル板など）を容易に再利用することができる。
【００１４】
請求項６に係る発明は、請求項１ないし請求項５のいずれか一つに記載の遊技機において、上記熱成形を、真空成形に限定するものである。この真空成形の場合、圧空成形などの他の熱成形の場合に比べて成形が容易であるため、実施化を図る上で有利である。
【００１５】
請求項７に係る発明は、請求項２記載の遊技機に用いる装飾パネルを提供するものである。すなわち、遊技機用装飾パネルは、平板状の透明なパネル本体と、このパネル本体の裏面に、印刷を施した印刷面を有する熱可塑性樹脂シートを、その印刷面を内側にして熱成形により密着してなる装飾シートとからなり、この装飾シートの周縁部は、上記熱成形によりパネル本体の端面にまで延出し、あるいはパネル本体の端面を越えてパネル本体の表面側にまで延出して密着される構成にする。
【発明の効果】
【００１６】
以上のように、本発明の遊技機によれば、平板状の装飾パネルがパネル本体とこのパネル本体に熱成形により密着された熱可塑性樹脂シートよりなる装飾シートとかなるため、遊技機を新機種のものに変更する場合、装飾シートをパネル本体から剥がすことにより、パネル本体に損傷を与えたり装飾シートの痕跡を残したりすることなく、両部品を分離することができ、パネル本体を容易に再利用することができる。しかも、装飾パネルの構成部品が２つだけであるため、コスト面、管理面及び取付作業面などで問題を生じることはなく、また種々の装飾パネルに広く適用することができ、実施化を図る上で有効なものである。
【００１７】
特に、請求項２に係る発明では、装飾シートの周縁部が、熱成形によりパネル本体の端面にまで延出し、あるいはパネル本体の端面を越えてパネル本体の表面側にまで延出して密着されているため、この装飾シートの周縁部でパネル本体に対する装飾シートの固着性を高めることができる。また、この装飾シートの周縁部は、パネル本体の表面側にあってもパネル枠部により覆われているため、悪戯により装飾シートが剥がされることはなく、装飾パネルを使用期間中美麗なまま維持することができるという効果をも奏する。
【００１８】
請求項３に係る発明では、装飾シートの周縁部がパネル本体の傾斜面状の端面に鋭角に折り曲げられた状態に密着しているため、パネル本体に対する装飾シートの固着性をより高めることができる上、熱成形型を特殊な形状にする必要がなく、実施化を容易に図ることができる。
【００１９】
請求項４に係る発明では、導光板の端面から入射したエッジライトの光が両面での全反射とスクリーン印刷層での拡散とにより導光板の表面全域から略均一に放出されるため、照明手段の薄型化を図りながら、装飾パネルの照明を鮮明に行うことができるという効果を併有する。
【００２０】
請求項５に係る発明では、導光板のスクリーン印刷層を構成する熱可塑性樹脂シートが、装飾パネルの熱可塑性樹脂シートよりなる装飾シートの場合と同様に熱成形により固着されているため、導光板が不要になった場合樹脂シートを剥がすことでその素材を容易に再利用することができ、部品のリサイクル化を一層図ることができる。
【００２１】
さらに、請求項６に係る発明では、熱可塑性樹脂シートをパネル本体に密着させる熱成形を真空成形に限定することにより、装飾パネルなどの成形を容易なものにすることができるので、実施化をより有効に図ることができる。
【発明を実施するための最良の形態】
【００２２】
以下、本発明を実施するための最良の形態である実施形態を図面に基づいて説明する。
【００２３】
図１は本発明の第１の実施形態に係る遊技機としてのスロットマシンＡを示す。このスロットマシンＡの前面部を構成する前扉１は、筐体の前方開口部（図示せず）に開閉可能に取り付けられている。
【００２４】
上記前扉１は、強度部材として、左右２つのサイド枠２，２と、この両サイド枠２，２の上部同士を連結する上部枠３と、両サイド枠２，２の中間部同士を連結する中間枠としての操作部４と、両サイド枠２，２の下部同士を連結する下部枠５とを有している。この前扉１の操作部４には、メダル投入口６、スタートレバー７及び３つの停止ボタン８，８，８などの操作器具が適宜配置されているとともに、これらの操作器具をそれぞれ囲繞するように４つの操作パネル１１，１２，１３，１４が設けられている。
【００２５】
上記上部枠３には上部ランプ１５、左右２つのスピーカ１６，１６及び上部パネル１７が設けられている。上部パネル１７は、配当表などを表示するためのものであり、この上部パネル１７の周囲は、上部パネル枠１８により支持されている。また、前扉１の上部枠３と操作部４と左右両サイド枠２，２とで囲まれた部位には中間パネル２１が取り付けられており、この中間パネル２１の中央部には矩形状の透明なリール表示窓２２が設けられている。このリール表示窓２２からは、筐体内に配置されたリール装置の３つの回転リール２３，２３，２３の各外周面に一列に描かれた図柄（図示せず）が３つずつ見えるようになっており、スタートレバー７の操作により各回転リール２３を回転させた後停止ボタン８の操作によりその回転を停止させたときリール表示窓２２の有効ライン上に所定の図柄が揃うか否かによって遊技が行われる。
【００２６】
上記前扉１の操作部４と下部枠５と左右両サイド枠２，２とで囲まれた部位には、図２にも示すように、タイトルなどを表示するための下部パネル２４が下部パネル枠２５を介して取り付けられており、この下部パネル２４の周縁部は、下部パネル枠２５と裏当て材２６とにより挟持されている。また、下部枠５にはメダル払出口２７が設けられているとともに、このメダル払出口２７から払い出されるメダルを受けるメダル受け皿２８が取り付けられている。
【００２７】
そして、本発明の特徴点である平板状の装飾パネルは、本実施形態の場合、上記下部パネル２４に適用したものである。すなわち、この下部パネル２４は、図３及び図４に拡大詳示するように、アクリル樹脂などの透明な合成樹脂又はガラスからなる矩形平板状のパネル本体３１と、このパネル本体３１の裏面に密着された装飾シート３２とからなる。この装飾シート３２は、タイトル文字などの印刷を施した印刷面３３を有するＰＥＴ製フィルムなどの熱可塑性樹脂シートであり、その印刷面３３を内側にしてパネル本体３１の裏面に熱成形の一種である真空成形により密着してなる。
【００２８】
上記パネル本体３１の端面３１ａは、全周に亘り裏面側から表面側に向かって傾斜する傾斜面状に形成されており、上記装飾シート３２の周縁部３２ａは、上記真空成形によりパネル本体３１の端面３１ａに鋭角に折り曲げられた状態でパネル本体３１の表面側にまで延出して密着されている。この装飾シート３２の周縁部３２ａは、パネル本体３１の周縁部と共にパネル枠部としての下部パネル枠２５により覆われている（図２参照）。
【００２９】
ここで、上記下部パネル２４の製造方法、特にパネル本体３１の裏面に装飾シート３２を密着させる真空成形法について、図５を参照しながら説明する。
【００３０】
先ず、図５（ａ）に示すように、平面状の真空成形金型４１の上にパネル本体３１を裏面を上側にして載置する。
【００３１】
続いて、図５（ｂ）に示す如く真空成形金型４１の上方で熱可塑性樹脂シートよりなる装飾シート３２をヒータ４２で加熱した後、図５（ｃ）に示す如く真空成形金型４１を上昇させてパネル本体３１上に装飾シート３２を被せ、この状態で真空成形を行い、装飾シート３２をパネル本体３１の裏面に密着させる。
【００３２】
しかる後、図５（ｄ）に示すように、成形品を真空成形金型４１から取り出し、仮想線で示す位置にてトリミングを行う。これによって、図５（ｅ）に示す如き完成品である下部パネル２４が得られる。
【００３３】
従って、上記第１の実施形態においては、下部パネル２４の製造工程でパネル本体３１の裏面に熱可塑性樹脂シートよりなる装飾シート３２を真空成形により密着するに当たり、その装飾シート３２の周縁部３２ａをパネル本体３１の端面３１ａにまで延出させて密着しているため、この装飾シート３２の周縁部３２ａでパネル本体３１に対する装飾シート３２の固着性を高めることができる。特に、本実施形態の場合、パネル本体３１の端面３１ａが全周に亘り裏面側から表面側に向かって傾斜する傾斜面状に形成され、装飾シート３２の周縁部３２ａがパネル本体３１の傾斜面状の端面３１ａに鋭角に折り曲げられた状態に密着しているため、パネル本体３１に対する装飾シート３２の固着性をより高めることができる。その上、真空成形金型４１はその上面が平面状のもので足りるため、実施化を容易に図ることができる。
【００３４】
また、上記装飾シート３２の周縁部３２ａは、パネル本体３１の表面側にあってもパネル本体３１の周縁部と共に下部パネル枠２５により覆われているため、遊技客の悪戯によりこの装飾シート３２が剥がされることはなく、下部パネル２４を使用期間中美麗なまま維持することができる。しかも、装飾シート３２の印刷面３３は、透明なパネル本体３１を通して正面側つまり遊技客側に見えるため、その印刷面３３に深み感を与えることができるとともに、パネル本体３１により印刷面３３の損傷を防止することができる。
【００３５】
一方、スロットマシンＡを新機種のものに変更し、それに伴い下部パネル２４のタイトルや印刷模様を変更する場合には、下部パネル２４を前扉１などから取り外した後、その装飾シート３２の周縁部３２ａを捲るように装飾シート３２をパネル本体３１から剥がすことにより、パネル本体３１に損傷を与えたり装飾シート３２の痕跡を残したりすることなく、両部品３１，３２を分離することができ、パネル本体３１を容易に再利用することができる。
【００３６】
さらに、上記下部パネル２４は、パネル本体３１とその裏面に密着された装飾シート３２の２部品からなるため、従来の挟持型のものの如く部品点数の増加によりコスト的に高くなることはなく、また部品管理が面倒なものになることもない。しかも、下部パネル２４は単一物として取り付けることができるので、その取付作業を容易に行うことができる。
【００３７】
加えて、本発明は、その特徴点である装飾パネルが単一物で取付が容易なものであることから、本実施形態の如きスロットマシンＡの場合、下部パネル２４に限らず、上部パネル１７、中間パネル２１及び操作パネル１１〜１４にも適用することができる。
【００３８】
図６は本発明の第２の実施形態として、スロットマシンＡが平板状の装飾パネルである下部パネル２４と共に、この下部パネル２４を照明するために照明手段としてのバックライト５０を有する場合の形態を示す。
【００３９】
すなわち、上記バックライト５０は、下部パネル２４の裏面に重合される下部パネル２４と略同一の寸法形状の導光板５１と、この導光板５１の端面、例えば図示の如き上端面に対向して設けられた冷陰極管やＬＥＤなどからなるエッジライト５２とからなる。尚、図６では、導光板５１を、その構成を明確にする観点から、下部パネル２４の裏面から所定寸法離して表示するが、この導光板５１は、下部パネル枠２５などに組み付けるときに下部パネル２４の裏面に重合して下部パネル２４と共に下部パネル枠２５などに組み付けられる。
【００４０】
上記導光板５１は、下部パネル２４のパネル本体３１と同一材質、つまりアクリル樹脂などの透明な合成樹脂又はガラスからなる導光板本体５３と、この導光板本体５３の外側面（つまり下部パネル２４との合わせ面である内側面と反対側の面）に熱成形の一種である真空成形により密着されたスクリーン印刷層を構成するＰＥＴ製フィルムなどの熱可塑性樹脂シート５４とからなる。この熱可塑性樹脂シート５４は、真空成形時以前に予め反射用の白色の素材シートに対し、スクリーン印刷層を構成するようにドット印刷などのスクリーン印刷を施したものである。
【００４１】
また、上記導光板本体５３の端面５３ａは、全周に亘り外側面側から内側面側に向かって傾斜する傾斜面状に形成されており、上記熱可塑性樹脂シート５４の周縁部５４ａは、上記真空成形により導光板本体５３の端面５３ａに鋭角に折り曲げられた状態で導光板本体５３の内側面側にまで延出して密着されている。
【００４２】
そして、上記第２の実施形態においては、バックライト５０の導光板５１の上端面から入射したエッジライト５２の光が導光板５１（詳しくは導光板本体５３）の内外両面での全反射とスクリーン印刷層を構成する熱可塑性樹脂シート５４での拡散とにより導光板５１の表面（内側面）全域から略均一に放出されるため、下部パネル２４の照明を鮮明に行うことができる。また、その照明手段としてバックライト５０を用いた場合、スペース的に余裕のない位置に設けられる装飾パネル、スロットマシンＡの操作パネル１１〜１４などにも利用することができ、遊技機の意匠効果を高めることができる。
【００４３】
その上、上記導光板５１のスクリーン印刷層を構成する熱可塑性樹脂シート５４が下部パネル２４の熱可塑性樹脂シートよりなる装飾シート３２の場合と同様に真空成形により固着されているため、スロットマシンＡの機種変更に伴い導光板５１が不要になった場合、樹脂シート５４を剥がすことで導光板本体５３を、例えば下部パネル２４のパネル本体３１などとして容易に再利用することができる。
【００４４】
図７は本発明の第３の実施形態として、スロットマシンＡの平板状の装飾パネルである下部パネル６０の別の形態を示す。
【００４５】
すなわち、上記下部パネル６０は、第１の実施形態の場合のそれと同じく、透明なパネル本体６１と、このパネル本体６１の裏面に、印刷を施した印刷面（図示せず）を有する熱可塑性樹脂シートを、その印刷面を内側にして真空成形により密着してなる装飾シート６２とからなるが、パネル本体６１の端面６１ａは、通常通り表裏両面に直交するものであり、装飾シート６２の周縁部６２ａは、上記真空成形によりパネル本体６１の端面６１ａを越えてパネル本体６１の表面側にまで断面Ｌ字状に延出して密着されている。尚、装飾シート６２の周縁部６２ａは、第１の実施形態の場合と同様に、パネル本体６２の周縁部と共に下部パネル枠２５により覆われる。
【００４６】
そして、この第３の実施形態においても、下部パネル６０の装飾シート６２の周縁部６２ａがパネル本体６１の端面６１ａを越えてパネル本体６１の表面側にまで延出して密着されているため、この装飾シート６２の周縁部６２ａでパネル本体６１に対する装飾シート６２の固着性を高めることができ、またその他、第１の実施形態の場合と同様な効果を奏するのは勿論である。
【００４７】
尚、本発明は上記第１ないし第３の実施形態に限定されるものではなく、その他種々の実施形態を包含するものである。例えば上記第１の実施形態では、平板状の装飾パネルである下部パネル２４の周縁部を、下部パネル枠２５と裏当て材２６とで挟持して前扉１に取り付けたが、本発明は、この取付構造に限らず、例えば下部パネル枠２５の裏面側にフック部を形成し、このフック部と下部パネル枠２５との間に下部パネル２４を挟持し、下部パネル枠２５を介して下部パネル２４を前扉１に取り付けるようにしてもよい。
【００４８】
また、上記各実施形態では、平板状の装飾パネルとして、いずれもスロットマシンＡの下部パネル２４，６０に適用した場合について述べたが、本発明は、これに限らず、スロットマシンＡの上部パネル１７、中間パネル２１及び操作パネル１１〜１４に適用できる外、パチンコ機や業務用ゲーム機で平板状の装飾パネルを有するものにも広く適用することができる。この場合、装飾パネルの周縁部ひいては装飾シートの周縁部を前側つまり遊技客側から覆うパネル枠部としては、上記第１の実施形態における下部パネル枠２５の如き１つの部材に限らず、複数の部材で構成したり、他の部材の一部を利用して構成したりしてもよい。
【図面の簡単な説明】
【００４９】
【図１】本発明の第１の実施形態に係るスロットマシンの正面図である。
【図２】図１のＸ−Ｘ線における拡大断面図である。
【図３】下部パネルの拡大縦断面図である。
【図４】図３のＹ部分の拡大図である。
【図５】下部パネルの製造工程の一工程である真空成形工程を示す工程図である。
【図６】第２の実施形態を示す下部パネル及びバックライトの拡大縦断面図である。
【図７】第３の実施形態を示す図３相当図である。
【符号の説明】
【００５０】
Ａ    スロットマシン（遊技機）
２４，６０    下部パネル（装飾パネル）
２５    下部パネル枠（パネル枠部）
３１，６１    パネル本体
３１ａ，６１ａ    パネル本体の端面
３２，６２    装飾シート
３２ａ，６２ａ    装飾シートの周縁部
５０    バックライト
５１    導光板
５２    エッジライト
５４    熱可塑性樹脂シート（スクリーン印刷層）
【図１】
2006320470.tif 000003
【図２】
2006320470.tif 000004
【図３】
2006320470.tif 000005
【図４】
2006320470.tif 000006
【図５】
2006320470.tif 000007
【図６】
2006320470.tif 000008
【図７】
2006320470.tif 000009